(57)【要約】【課題】機構の複雑化や大型化を伴わずに、時計の時刻表示装置の時刻表示機能に加えて他の機能を付加した時計の時刻表示装置を提供する【解決手段】長針３１と短針３２と、短針３２の回転位置に応じて、各位置における時刻を示す表示部２Ｓ１〜２Ｓ１２が設けられた表示盤２を備えており、午前５時又は午後５時を表示する表示部２Ｓ５には、数字の「５」が表示されていない。これにより、「５」を欠いた表示装置となり、（「５」を欠く）から「合格」を暗示的に示した構成となり、時刻に加えて他の意味をもあらわす構成とした。【選択図】図１
2010216899.tif 000002
【特許請求の範囲】
【請求項１】
一定の回転速度で回転する回転軸を回転中心とする指示部材と、
該指示部材が所定の角度回転した位置に応じて、各位置における時刻を示す表示部が設けられた表示盤を備える時刻表示装置であって、
午前５時又は午後５時を表示する表示部の表示内容が、他の時刻を表示する表示内容に比較して異なる表示内容となっていることを特徴とする時計の時刻表示装置。
【請求項２】
一定の回転速度で回転する回転軸を回転中心とする指示部材と、
該指示部材が所定の角度回転した位置に応じて、各位置における時刻を示す表示部が設けられた表示盤を備える時刻表示装置であって、
該表示部は、数を示す記号又は文字により構成されており、午前５時又は午後５時を示す表示部には、５を示す表示が示されていないことを特徴とする時計の時刻表示装置。
【請求項３】
時計に装着され、時刻をデジタル表示する時刻表示装置であって、
５を示す文字表示のみが、数字以外の文字、記号又は図形のいずれかで表示されることを特徴とすると時計の時刻表示装置。
【発明の詳細な説明】
【技術分野】
【０００１】
この発明は、時計の時刻表示装置に関するものである。
【背景技術】
【０００２】
従来、時計において時刻表示をする方式は、短針のみ、又は長針と短針を備える表示方式と、分毎に数字表示により時刻を表示するデジタル方式などが採られている。 
回転する針によって時刻を表示する方式の表示装置では、針の先端が移動する軌道に沿って、時刻を表示する文字が表示され、或いは、回転角度が３０度を刻む毎に、時刻を表示する記号や図形が配置され、長針と短針との成す角度や、その位置によって、感覚的に時刻を読み取ることができる構成となっている。また、デジタル方式の表示装置は、数字が時間の経過に応じて順次変化し、分単位、或いは秒単位で表示される数字が切り替わり、視認した時点での時刻を把握できる構成となっている。 
また、従来の時刻表示装置は、時刻を使用者に伝える機能に加えて、特許文献２に示されているように、占い機能など他の機能を付加された時計も提案されている。
【先行技術文献】
【特許文献】
【０００３】
実開平０７−２９９０号
特開平０６−１０２３７６号
【発明の概要】
【発明が解決しようとする課題】
【０００４】
しかしながら、時計に他の機能を付加した構成とした場合、時計全体が大型化するといった問題があった。また、時刻を表示するといった本来の機能が損なわれ、時刻が判読しづらくなるといった欠点もある。 
この発明は、機構の複雑化や大型化を伴わずに、時計の時刻表示装置の時刻表示機能に加えて他の機能を付加した時計の時刻表示装置を提供することを目的とするものである。
【課題を解決するための手段】
【０００５】
以上のような問題を解決する本発明は、以下のような構成を有する。 
（１）一定の回転速度で回転する回転軸を回転中心とする指示部材と、
該指示部材が所定の角度回転した位置に応じて、各位置における時刻を示す表示部が設けられた表示盤を備える時刻表示装置であって、
午前５時又は午後５時を表示する表示部の表示内容が、他の時刻を表示する表示内容に比較して異なる表示内容となっていることを特徴とする時計の時刻表示装置。
【０００６】
（２）一定の回転速度で回転する回転軸を回転中心とする指示部材と、
該指示部材が所定の角度回転した位置に応じて、各位置における時刻を示す表示部が設けられた表示盤を備える時刻表示装置であって、
該表示部は、数を示す記号又は文字により構成されており、午前５時又は午後５時を示す表示部には、５を示す表示が示されていないことを特徴とする時計の時刻表示装置。
【０００７】
（３）時計に装着され、時刻をデジタル表示する時刻表示装置であって、
５を示す文字表示のみが、数字以外の文字、記号又は図形のいずれかで表示されることを特徴とすると時計の時刻表示装置。
【発明の効果】
【０００８】
請求項１に記載の発明によれば、時刻を表示する表示部の午前５時又は午後５時を表示する部分の表示を他の表示部の内容と異なる内容とすることによって、５時について、特別の意味があることを、暗示させることができる。つまり、５時を示す表示を特別なものとすることにより、時刻表示機能を損なうことなく、かつ、表示装置の大型化や機能の複雑化を伴うことなく、特定の意味を暗示する機能を付加することができる。例えば、「５」の表示が他の表示に比較して異なることから、「５」を欠いた時刻表示となり、「５を欠く」から「合格」を暗示させる表示として機能させることができる。
【０００９】
請求項２に記載の発明によれば、時刻を表示する表示部の午前５時又は午後５時を表示する部分を、設けない構成とすることによって、５時について、特別の意味があることを、暗示させることができる。つまり、５時を示す表示を省略することにより、時刻表示機能を損なうことなく、かつ、表示装置の大型化や機能の複雑化を伴うことなく、特定の意味を暗示する機能を付加することができる。例えば、「５」の表示が省略されていることから、「５」を欠いた時刻表示となり、「５を欠く」から「合格」を暗示させる表示として機能させることができる。
【００１０】
請求項３に記載の発明によれば、時刻をデジタル表示する時刻表示装置において、「５」を示す数字が、他の文字や図形で表示することによって、時刻表示機能を損なうことなく、かつ、表示装置の大型化や機能の複雑化を伴うことなく、特定の意味を暗示する機能を付加することができる。例えば、「５」の表示が他の表示に比較して異なることから、「５」を欠いた時刻表示となり、「５を欠く」から「合格」を暗示させる表示として機能させることができる。
【図面の簡単な説明】
【００１１】
【図１】本発明の時計の時刻表示装置の正面図である。
【図２】本発明の他の実施形態における時計の時刻表示装置の正面図である。
【図３】本発明の他の実施形態における時計の時刻表示装置の正面図である。
【図４】本発明の他の実施形態における時計の時刻表示装置の正面図である。
【図５】本発明の他の実施形態における時計の時刻表示装置の正面図である。
【発明を実施するための形態】
【００１２】
以下、添付図面に基づいて本発明の時計の時刻表示装置１を詳細に説明する。図１は、本発明の時計の時刻表示装置１の正面図である。時刻表示装置１は、表示盤２と、指示部材としての長針３１及び短針３２とを備えている。長針３１と短針３２は、表示盤２の中央部の回転軸を回転中心として有している。回転軸は時計機構によって、長針３１（分針）が１時間で３６０度回転する間に、短針（時針）３２は３０度回転するように構成されている。
【００１３】
表示盤２には、長針３１先端の回転軌跡に沿って、時刻を表示する表示部２Ｓ１〜２Ｓ１２が設けられている。時刻の１時を表す位置の表示部２Ｓ１には、数字の「１」が配され、時刻の２時を表す位置の表示部２Ｓ２には、数字の「２」が配され、以下同様に、時刻の３時の表示部２Ｓ３には「３」、時刻の４時の表示部２Ｓ４には「４」・・・時刻１２時の表示部２Ｓ１２には「１２」が配されている。そして、時刻の５時を表す位置２Ｓ５は、空欄となっており、数字の「５」は配されていない。しかし、表示盤２を見る者は、４時を表す表示部２Ｓ４と、６時を表す表示部２Ｓ６の間に短針３２の先端が位置すれば、数字の「５」が表示されていなくとも、時刻は４時から６時の間であることを読み取ることができる。さらに、長針３１が数字「１２」が配された表示部２Ｓ１２の近傍に位置していれば、時刻が５時頃であることを推定することができる。
【００１４】
このように、時刻の５時を表示する数字の「５」を表示しないことにより、他の時刻を表す数字「１」〜「４」、「６」〜「１２」から、「５」が欠けているため、表示盤２は、「５」を欠く表示盤２であることを示し、この事から『「５」を欠く』から『合格』を暗示する表示と認識することが可能となる。このように、表示部２Ｓ１〜２Ｓ１２の表示の一部を変更することで、時刻表示に加えて、特定の意味（本実施例の場合には、「合格」という意味）を付加かることができる。
【００１５】
図２は、各表示部２Ｓ１〜２Ｓ１２において、時刻を具体的に表示する数字が用いられず、記号４１が配された第２実施形態の時刻表示装置１Ｂを示すものである。この実施形態における記号４１は、各表示部２Ｓ１〜２Ｓ１２において、時刻の１時、２時・・・１２時を示した場合の、短針３２の先端位置を示す作用を備えている。使用者は、長針３１と短針３２の位置関係と両針３１、３２が成す角度から、時刻を読み取ることができる。
【００１６】
そして、時刻の５時を示す表示部２Ｓ５には、記号４１は配されていない構成となっている。これにより、表示盤２は、５時の表示を欠くものであることが示され、この事から『「５」を欠く』から『合格』を暗示する表示と認識することが可能となる。
【００１７】
図３は、表示部２Ｓ５を他の表示内容にした構成を示す第３実施形態の時刻表示装置１Ｃを示すものである。表示部２Ｓ５には、数字の「５」の代わりに、数の意味を有さない図形４２が表示されている。この様に、数の意味を有さない図形等を表示部２Ｓ５に設けることで、時刻の５時を示す表示が欠けた構成となり、この事から、『「５」を欠く』から『合格』を暗示する表示と認識することが可能となる。
【００１８】
図４は、デジタル表示方式の時刻表示装置１Ｄを示す全体正面図である。この時刻表示装置１Ｄは、時間の時刻を表示する時間表示部６１と、分の時刻を表示する分表示部６２と、秒の時刻を表示する秒表示部６３を備え、[時：分：秒]の順により数字表示される。各表示部６１、６２、６３は、時計機構によってそれぞれ所定時間経過した時点で、表示が１づつ増える構成となっており、時間表示部６１は、１時間毎に、分表示部６２は、１分毎に、秒表示部６３は１秒毎に切り替わる構成となっている。
表示部の構成は、例えば、液晶表示装置により構成される。時間表示部６１は、十の位の数字を表示する十位表示領域６１１と、一の位を表示する一位表示領域６１２を備え、２桁の数字が示される。同様に、分表示部６２は、十の位の数字を表示する十位表示領域６２１と、一の位を表示する一位表示領域６２２を備え、２桁の数字が示される。秒表示部６３は、十の位の数字を表示する十位表示領域６３１と、一の位を表示する一位表示領域６３２を備え、２桁の数字が示される。
【００１９】
上記各表示領域６１１、６１２、６２１、６２２、６３１、６３２には、それぞれ数字が表示されるが、数字「５」のみが、表示されず、「５」の代わりに、数字を意味を有さない図形や記号が表示される。この実施形態において、花を表す図形６４が表示される。図４の例では、「５」が表示される位置に図形６４が表示され、図示の例では、「１２時２５分５１秒」と表示されている。 
この様に、この様に、数字の「５」が欠けた構成となり、この事から、『「５」を欠く』から『合格』を暗示する表示と認識することが可能となり、時刻に加えて、「合格する」といった意味合いも合わせて表示する構成とすることができる。
【００２０】
図５は、他の構成におけるデジタル表示方式の時刻表示装置１Ｅを示す全体正面図である。この時刻表示装置１Ｅは、７セグメント表示装置を用いて数字を表示する構成となっている。時刻表示装置１Ｅは、時間の時刻を表示する時間表示部７１と、分の時刻を表示する分表示部７２と、秒の時刻を表示する秒表示部７３を備え、[時：分：秒]の順により数字表示される。各表示部に接続される時計機構は、時刻表示装置１Ｄと同様の構成であるので、説明を省略する。時間表示部７１は、十の位の数字を表示する十位表示領域７１１と、一の位を表示する一位表示領域７１２を備え、２桁の数字が示される。同様に、分表示部７２は、十の位の数字を表示する十位表示領域７２１と、一の位を表示する一位表示領域７２２を備え、２桁の数字が示される。秒表示部７３は、十の位の数字を表示する十位表示領域７３１と、一の位を表示する一位表示領域７３２を備え、２桁の数字が示される。そして、各表示領域は、表示部の構成は、セグメント８１を８の字に７つ配列し、各セグメントのオン／オフ表示により、文字を表示する７セグメント表示装置により構成される。
【００２１】
上記各表示領域７１１、７１２、７２１、７２２、７３１、７３２には、それぞれ数字が表示されるが、数字「５」のみが、表示されず、「５」の代わりに、セグメントを用いて表現される数字以外の文字、この実施形態では、Ｐが表示される。図５に示されている例では、「１２時２Ｐ分Ｐ１秒」と表示されるが、これは、「１２時２５分５１秒」を意味する。数字の「５」の代わりに使用される文字は、数を意味する文字以外であればよく、例えば、「Ａ」「Ｃ」「Ｅ」「Ｆ」「Ｇ」「Ｈ」「Ｌ」「Ｕ」或いは「−」（ハイフン）などであってもよい。この様に、時刻を表す数字の配列から、数字の「５」が欠けた構成となり、この事から、『「５」を欠く』から『合格』を暗示する表示と認識することが可能となり、時刻に加えて、「合格する」といった意味合いも合わせて表示する構成とすることができる。 
以上説明した実施形態において、数字の「５」の代わりに数字以外のものを表示する場合には、記号、図形、文字等が挙げられる。
【符号の説明】
【００２２】
１  時刻表示装置
２  表示盤
３１  長針
３２  短針
２Ｓ１〜２Ｓ１２  表示部
４１  記号
４２  図形
６１、７１  時間表示部
６２、７２  分表示部
６３、７３  秒表示部
【図１】
2010216899.tif 000003
【図２】
2010216899.tif 000004
【図３】
2010216899.tif 000005
【図４】
2010216899.tif 000006
【図５】
2010216899.tif 000007